(57)【要約】【課題】ユーザーの負担を軽減できる車両用映像表示システムを提供すること。【解決手段】この車両用映像表示システム１は、車両に搭載されて車両後方の映像を取得する主カメラ２１と、映像信号を出力するモニタ３１と、車両状態を検出する車両信号センサと、車両信号センサからの出力信号に基づいてモニタ３１の出力を制御する制御ユニット５とを備える。また、制御ユニット５は、車両信号センサからの出力信号が所定の条件を満たすときに、モニタ３１の出力を他の映像信号から主カメラ２１の映像信号に切り替える。【選択図】図１
2014168170.tif 000002
【特許請求の範囲】
【請求項１】
車両の周囲の映像を取得して表示する車両用映像表示システムであって、
車両に搭載されて車両後方の映像を取得する主カメラと、
映像信号を出力するモニタと、
車両状態を検出する車両信号センサと、
前記車両信号センサからの出力信号に基づいて前記モニタの出力を制御する制御ユニットとを備え、且つ、
前記制御ユニットは、前記車両信号センサからの出力信号が所定の条件を満たすときに、前記モニタの出力を他の映像信号から前記主カメラの映像信号に切り替えることを特徴とする車両用映像表示システム。
【請求項２】
車両に搭載されて車両前方の映像を取得する補助カメラを備え、且つ、
前記制御ユニットは、前記車両信号センサからの出力信号が所定の条件を満たすときに、前記モニタの出力を前記補助カメラの映像信号から前記主カメラの映像信号に切り替える請求項１に記載の車両用映像表示システム。
【請求項３】
前記車両信号センサからの出力信号が、車両の車速信号である請求項１または２に記載の車両用映像表示システム。
【請求項４】
前記車両信号センサからの出力信号が、車両のシフトポジション信号である請求項１または２に記載の車両用映像表示システム。
【請求項５】
車両の周囲の映像を取得して表示する車両用映像表示システムであって、
車両に搭載されて確認用の映像を取得する主カメラと、
前記主カメラからの映像信号を出力する映像表示ユニットと、
車両に搭載されて記録用の映像を取得する補助カメラと、
前記補助カメラからの映像信号を記録する映像記録ユニットと、
所定の異常を検出したときに前記モニタに前記異常を報知するアイコンを表示させる制御ユニットとを備えることを特徴とする車両用映像表示システム。
【請求項６】
車両の周囲の映像を取得して表示する車両用映像表示システムであって、
車両に搭載されて確認用の映像を取得する複数の主カメラと、
前記主カメラからの映像信号を出力する映像表示ユニットとを備え、且つ、
前記映像表示ユニットが、映像信号を出力するモニタと、前記モニタの表示を制御するモニタコントローラと、前記複数の主カメラからの映像信号を選択して前記モニタコントローラに出力するマルチプレクサと、所定の前記主カメラと前記モニタコントローラおよび前記マルチプレクサとの接続を切り替える切替スイッチとを有し、
システム起動時にて、前記切替スイッチが、所定の前記主カメラと前記モニタコントローラとを接続すると共に、システム起動完了後に、前記切替スイッチが、前記モニタコントローラ側から前記マルチプレクサ側に接続を切り替えることを特徴とする車両用映像表示システム。
【発明の詳細な説明】
【技術分野】
【０００１】
この発明は、車両用映像表示システムに関し、さらに詳しくは、ユーザーの負担を軽減できる車両用映像表示システムに関する。
【背景技術】
【０００２】
近年の車両は、映像表示装置および映像記録装置をそれぞれ搭載している。映像表示装置は、車両の周囲の映像をカメラで取得して、運転席に設置されたモニタに表示する装置である。この映像表示装置により、運転席からの車両周囲の安全確認が容易となる。映像記録装置は、いわゆるドライブレコーダであり、車両の周囲や車内の様子などの映像をカメラで取得して記録する装置である。この映像記録装置により、車両走行時の状況などの事後的な検証が容易となる。
【０００３】
かかる従来の映像表示装置として、例えば、特許文献１に記載される技術が知られている。また、従来の映像記録装置として、例えば、特許文献２、３に記載される技術が知られている。
【先行技術文献】
【特許文献】
【０００４】
【特許文献１】特開２００５−１７６０６５号公報
【特許文献２】特開２００９−１９３２５７号公報
【特許文献３】特開２０１２−１５９８９７号公報
【発明の概要】
【発明が解決しようとする課題】
【０００５】
この発明は、ユーザーの負担を軽減できる車両用映像表示システムを提供することを目的とする。
【課題を解決するための手段】
【０００６】
上記目的を達成するため、この発明にかかる車両用映像表示システムは、車両の周囲の映像を取得して表示する車両用映像表示システムであって、車両に搭載されて車両後方の映像を取得する主カメラと、映像信号を出力するモニタと、車両状態を検出する車両信号センサと、前記車両信号センサからの出力信号に基づいて前記モニタの出力を制御する制御ユニットとを備え、且つ、前記制御ユニットは、前記車両信号センサからの出力信号が所定の条件を満たすときに、前記モニタの出力を他の映像信号から前記主カメラの映像信号に切り替えることを特徴とする。
【０００７】
また、この発明にかかる車両用映像表示システムは、車両の周囲の映像を取得して表示する車両用映像表示システムであって、車両に搭載されて確認用の映像を取得する主カメラと、前記主カメラからの映像信号を出力する映像表示ユニットと、車両に搭載されて記録用の映像を取得する補助カメラと、前記補助カメラからの映像信号を記録する映像記録ユニットと、所定の異常を検出したときに前記モニタに前記異常を報知するアイコンを表示させる制御ユニットとを備えることを特徴とする。
【０００８】
また、この発明にかかる車両用映像表示システムは、車両の周囲の映像を取得して表示する車両用映像表示システムであって、車両に搭載されて確認用の映像を取得する複数の主カメラと、前記主カメラからの映像信号を出力する映像表示ユニットとを備え、且つ、前記映像表示ユニットが、映像信号を出力するモニタと、前記モニタの表示を制御するモニタコントローラと、前記複数の主カメラからの映像信号を選択して前記モニタコントローラに出力するマルチプレクサと、所定の前記主カメラと前記モニタコントローラおよび前記マルチプレクサとの接続を切り替える切替スイッチとを有し、システム起動時にて、前記切替スイッチが、所定の前記主カメラと前記モニタコントローラとを接続すると共に、システム起動完了後に、前記切替スイッチが、前記モニタコントローラ側から前記マルチプレクサ側に接続を切り替えることを特徴とする。
【発明の効果】
【０００９】
この発明にかかる車両用映像表示システムでは、所定条件下にて、モニタの出力が、他の映像信号から車両後方の映像を取得する主カメラの映像信号に切り替えられる。これにより、モニタの表示映像の切り替えが自動的に行われて、ユーザーの負担が軽減される利点がある。
【００１０】
また、この発明にかかる車両用映像表示システムでは、異常発生時にて、モニタに異常を報知するアイコンが表示されるので、ユーザーが異常を容易に認識できる利点がある。
【００１１】
また、この発明にかかる車両用映像表示システムでは、主カメラ（後方カメラ）の映像が電源オンの直後からモニタに表示されるので、ユーザーがシステムの起動完了を待つことなく、車両後方を確認できる利点がある。
【図面の簡単な説明】
【００１２】
【図１】図１は、この発明の実施の形態にかかる車両用映像表示システムを示す機能ブロック図である。
【図２】図２は、図１に記載した車両用映像表示システムの本体装置を示す説明図である。
【図３】図３は、図１に記載した車両用映像表示システムの本体装置を示す説明図である。
【図４】図４は、図１に記載した車両用映像表示システムの本体装置を示す説明図である。
【図５】図５は、図１に記載した補助カメラの着脱構造を示す説明図である。
【図６】図６は、図１に記載した補助カメラを示す斜視図である。
【図７】図７は、図１に記載した車両用映像表示システムの作用を示す説明図である。
【図８】図８は、図１に記載した車両用映像表示システムの作用を示す説明図である。
【図９】図９は、図１に記載した車両用映像表示システムの作用を示す説明図である。
【図１０】図１０は、図１に記載した車両用映像表示システムの作用を示す説明図である。
【図１１】図１１は、図１に記載した車両用映像表示システムの作用を示す説明図である。
【図１２】図１２は、図１に記載した車両用映像表示システムの作用を示す説明図である。
【発明を実施するための形態】
【００１３】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１４】
［車両用映像表示システム］
図１は、この発明の実施の形態にかかる車両用映像表示システムを示す機能ブロック図である。同図は、車両用映像表示システムの一例として、映像表示装置のモニタとドライブレコーダとを一体化して成る車両用映像表示システムを示している。
【００１５】
この車両用映像表示システム１は、車両に搭載されて映像を表示するシステムであり、（１）映像表示機能と、（２）ドライブレコーダ機能との双方を兼ね備える。
【００１６】
（１）映像表示機能とは、特に、車両の後方や左右側方などの運転席から目視し難い領域の映像をカメラで取得して、運転席に設置されたモニタに表示する機能である。この機能により、運転席からの車両周囲の安全確認が容易となる。この機能は、例えば、トレーラを牽引するトラクター、貨物室を有する中型商用車、トラック・バスなどの大型車両などにおいて、特に重要である。
【００１７】
（２）ドライブレコーダ機能とは、例えば、車両の周囲や車内の様子などの映像をカメラで取得して記録する機能である。この機能により、車両走行時の状況などの事後的な検証が容易となる。一般的なドライブレコーダでは、車両前方の映像を取得して記録する場合が多い。
【００１８】
図１に示すように、車両用映像表示システム１は、複数の主カメラ２１〜２３および補助カメラ２４と、映像表示ユニット３と、映像記録ユニット４と、制御ユニット５とを備える。
【００１９】
複数の主カメラ２１〜２３および補助カメラ２４は、車両に搭載されて所定の映像を取得する装置である。複数の主カメラ２１〜２３は、主として上記の映像表示機能を実現し、補助カメラ２４は、主として上記のドライブレコーダ機能を実現する。
【００２０】
例えば、図１の構成では、第一主カメラ２１、第二主カメラ２２および第三主カメラ２３と、１つの補助カメラ２４とが設置されている。また、第一主カメラ２１が、車両の後方を撮影するための後方カメラであり、例えば、車両の荷台の後部中央に設置されている。第二主カメラ２２および第三主カメラ２３は、車両の左右側方を撮影するための左側方カメラおよび右側方カメラであり、例えば、車両の左右のサイドミラーに設置されている。これらの主カメラ２１〜２３により、運転席から目視し難い領域の撮像が可能となっている。また、補助カメラ２４が、車両の前方を撮影するための前方カメラであり、車体のフロント部に設置されている。この補助カメラ２４により、車両走行時における運転席からの視界の撮像が可能となっている。
【００２１】
映像表示ユニット３は、表示装置であり、主として上記の映像表示機能を実現する。この映像表示ユニット３は、モニタ３１と、モニタコントローラ３２と、マルチプレクサ３３と、切替スイッチ３４とを有する。モニタ３１は、例えば、液晶ディスプレイであり、主として主カメラ２１〜２３からの映像を表示し、必要に応じて、補助カメラ２４からの映像を表示する。モニタコントローラ３２は、モニタ３１の表示を制御する装置であり、モニタ３１に接続される。マルチプレクサ３３は、複数の主カメラ２１〜２３および補助カメラ２４からの各映像をモニタコントローラ３２に選択的に転送する装置（カメラセレクタ）であり、第二主カメラ２２、第三主カメラ２３、補助カメラ２４およびモニタコントローラ３２に接続される。切替スイッチ３４は、第一主カメラ２１とモニタコントローラ３２およびマルチプレクサ３３との接続を切り替えるスイッチであり、第一主カメラ２１、モニタコントローラ３２およびマルチプレクサ３３に接続される。
【００２２】
例えば、図１の構成では、モニタ３１が表示画面を運転席に向けて配置されている。これにより、車両走行時においても、ユーザーがモニタ３１の表示画面を容易に視認できる。また、マルチプレクサ３３が主カメラ２１〜２３（必要に応じて補助カメラ２４）からの各映像をモニタコントローラ３２に同時あるいは選択的に転送し、モニタコントローラ３２がこれらの映像をシングルビジョンあるいはマルチビジョンでモニタ３１の表示画面に表示させる。これにより、ユーザーが、主カメラ２１〜２３（必要に応じて補助カメラ２４）からの映像をモニタ３１の表示画面上で確認でき、また、マルチビジョンにて複数の主カメラ２１〜２３からの映像を同時に確認できる。また、切替スイッチ３４がモニタコントローラ３２側に接続する場合には、第一主カメラ２１からの映像が直接的にモニタコントローラ３２に送られてモニタ３１の表示画面にシングルビジョンで表示される。一方で、切替スイッチ３４がマルチプレクサ３３側に接続する場合には、第一主カメラ２１からの映像がマルチプレクサ３３に送られ、第一主カメラ２１からの映像と他の第二主カメラ２２および第三主カメラ２３からの映像とがモニタコントローラ３２に同時に送られてモニタ３１の表示画面にマルチビジョンで表示される。
【００２３】
映像記録ユニット４は、記憶装置であり、主として上記のドライブレコーダ機能を実現する。この映像記録ユニット４は、レコーダ４１と、外部メモリ４２とを有する。レコーダ４１は、映像信号を記録するための装置であり、主として補助カメラ２４からの映像信号を記録し、必要に応じて、各主カメラ２１〜２３の映像信号も記録する。このレコーダ４１は、例えば、自身でデータを記憶可能な内蔵型のハードディスクであっても良いし、外部メモリ４２にデータを記憶させるためのリーダ・ライタであっても良い。外部メモリ４２は、例えば、ＳＤカード、ＵＳＢメモリなどのリムーバブルメモリであっても良いし、外付けハードディスクであっても良い。
【００２４】
例えば、図１の構成では、レコーダ４１がＳＤカード用リーダ・ライタであり、外部メモリ４２がＳＤカードである。また、レコーダ４１の作動時には、外部メモリ４２がレコーダ４１にデータ書き込み可能に挿入される。そして、レコーダ４１が、補助カメラ２４からの映像信号を外部メモリ４２に直接的に記憶している。なお、レコーダ４１は、書き込み専用のライタであっても良い。
【００２５】
制御ユニット５は、車両用映像表示システム１の動作を統括的に制御する装置であり、中央制御部５１と、ＲＯＭ（Read-Only Memory）５２およびＲＡＭ（Random-Access Memory）５３とを有する。中央制御部５１は、ＣＰＵ（Central Processing Unit）であり、ＲＯＭ５２に記憶された各種のデータを必要に応じて参照しつつ、ＲＯＭ５２に記憶された各種のプログラムを読み込んで実行する。ＲＯＭ５２は、不揮発性メモリあるいは磁気記憶装置であり、中央制御部５１での処理に用いられる各種のプログラムやデータを格納する。各種のプログラムには、例えば、映像表示ユニット３の動作を制御するための映像表示ユニット制御プログラム、映像記録ユニット４の動作を制御するための映像記録ユニット制御プログラムが含まれる。また、制御ユニット５は、車両の左右のウィンカー信号、ブレーキ信号、車速信号、エンジン回転数信号、シフトポジション信号、ＧＰＳ（Global Positioning System）信号などを入出力部Ｉ／Ｏを介して取得し、これらの信号に基づいて、各種の制御を行い得る。
【００２６】
また、車両用映像表示システム１は、リモートコントローラ６１、操作スイッチ６２、マイクロフォン６３、スピーカ６４および表示ランプ６５を備える。リモートコントローラ６１は、映像表示ユニット３および映像記録ユニット４を操作するための操作端末であり、例えば、赤外線通信により操作信号を送信する。操作スイッチ６２は、映像表示ユニット３、映像記録ユニット４、マイクロフォン６３の音量などを操作するためのスイッチである。マイクロフォン６３は、車両内外の音を集音する。スピーカ６４は、アラートや音声案内などを出力する。表示ランプ６５は、車両用映像表示システム１の動作状況などの情報を点灯表示する。
【００２７】
また、車両用映像表示システム１は、車両の常時電源７１およびアクセサリ電源７２にそれぞれ接続されて車両のバッテリから電力供給を受ける。したがって、この車両用映像表示システム１は、アクセサリＯＦＦの状態においても、常時電源７１から電力供給を受けて動作できる。
【００２８】
この車両用映像表示システム１では、（１）車両の所定位置に設置された３つの主カメラ２１〜２３が、車両の後方、左側方および右側方の映像をそれぞれ取得して、映像信号を映像表示ユニット３にそれぞれ送る。すると、映像表示ユニット３が、各主カメラ２１〜２３からの映像信号に基づいて、選択された１つあるいは複数の映像をモニタ３１の表示画面に表示する。これにより、映像表示機能が実現されて、ユーザーが主カメラ２１〜２３からの映像をモニタ３１の表示画面上で確認できる。なお、モニタ３１における映像表示パターンの具体例については、後述する。
【００２９】
また、（２）車両走行時には、補助カメラ２４が車両の前方の映像を取得して、映像信号をマルチプレクサ３３を介して制御ユニット５に送る。そして、制御ユニット５が、補助カメラ２４からの映像信号を映像記録ユニット４に送り、映像記録ユニット４が、この映像信号を記録する。これにより、ドライブレコーダ機能が実現されて、車両走行時の状況などの事後的な検証が容易となる。
【００３０】
なお、図１の構成では、上記のように、車両用映像表示システム１が、後方カメラ、左側方カメラおよび右側方カメラから成る３つの主カメラ２１〜２３を備えている。しかし、これに限らず、車両用映像表示システム１が、第四の主カメラを備えても良い（図示省略）。かかる第四の主カメラとしては、例えば、車両の荷台後部に配置されて上方から車両のテール部付近を撮像するカメラ、車両の荷台内部を撮像するカメラなどが挙げられる。
【００３１】
また、図１の構成では、上記のように、補助カメラ２４が、主としてドライブレコーダ機能を実現するための前方カメラとなっている。しかし、これに限らず、車両用映像表示システム１が、所定の映像を記録するための第二の補助カメラを備えても良い（図示省略）。かかる第二の補助カメラとしては、例えば、運転席や乗員席を撮像するカメラ、車両の荷台内部を撮像するカメラなどが挙げられる。
【００３２】
また、図１の構成では、上記のように、レコーダ４１がリムーバブルメモリ４２にデータを記憶させるためのリーダ・ライタであり、補助カメラ２４からの映像信号をリムーバブルメモリ４２に直接的に記憶している。かかる構成では、内蔵ハードディスクが省略されて、映像記録ユニット４が小型化および軽量化される点で好ましい。しかし、これに限らず、映像記録ユニット４が、レコーダ４１として内蔵ハードディスクあるいは外付けハードディスクを有しても良い（図示省略）。
【００３３】
［モニタ、レコーダおよび補助カメラの一体構造］
図２〜図４は、図１に記載した車両用映像表示システムの本体装置を示す説明図である。これらの図は、本体装置１０の正面斜視図（図２）、背面斜視図（図３）および背面図（図４）をそれぞれ示している。なお、これらの図において、一点鎖線Ｏは、車両のルームミラー用の支持部材の中心線を示している。
【００３４】
この車両用映像表示システム１では、図１に示すように、映像表示ユニット３、映像記録ユニット４のレコーダ４１および制御ユニット５が、一体化されて１つの本体装置１０を構成する。具体的には、映像表示ユニット３、映像記録ユニット４のレコーダ４１（およびレコーダ４１に挿入された外部メモリ４２）、制御ユニット５、操作スイッチ６２、マイクロフォン６３、スピーカ６４、表示ランプ６５および入出力部Ｉ／Ｏが、１つのハウジング１１に収容されて、本体装置１０を構成している。
【００３５】
また、図２に示すように、本体装置１０のハウジング１１が、全体として幅広な箱型形状を有する。また、モニタ３１が、ハウジング１１の一方の面に表示画面を現して配置される。また、複数の操作スイッチ６２および表示ランプ６５が、モニタ３１の表示画面の周囲に配置される。また、外部メモリ４２の挿入口が、ハウジング１１の幅方向の端部に配置される。また、ハウジング１１が、外部メモリ４２の飛び出しを防止するために、外部メモリ４２の挿入口を塞ぐカバー１１２を有する。
【００３６】
また、図３および図４に示すように、補助カメラ２４、マイクロフォン６３、スピーカ６４および入力端子１２が、ハウジング１１の他方の面（モニタ３１の表示画面を有する側に対して背面側）に配置される。入力端子１２は、３台の主カメラ２１〜２３からの映像信号や、車両の左右のウィンカー信号、ブレーキ信号、車速信号、エンジン回転数信号、シフトポジション信号、ＧＰＳ（Global Positioning System）信号などの各種信号を入力するための端子１２である。また、ハウジング１１が、カメラホルダ１１３を有し、補助カメラ２４が、このカメラホルダ１１３に着脱可能に保持されてハウジング１１に一体化される。なお、この補助カメラ２４の着脱可能な保持構造については、後述する。
【００３７】
また、本体装置１０のハウジング１１が、車両のルームミラー用支持部に対して取付可能な取付部１１１を有する。この取付部１１１は、ハウジング１１に形成された取付穴であり、ルームミラー用支持部に対して螺合可能な構造を備える。これにより、本体装置１０が、ルームミラーに替えて車内のルームミラー用支持部に設置できる。このとき、本体装置１０が、モニタ３１の表示画面を車内（好ましくは、運転席側）に向けつつ、補助カメラ２４を有する側を車両前方に向けて設置される。これにより、乗員が車内からモニタ３１の表示画面を視認でき、同時に、補助カメラ２４が車両のフロントガラス越しに車両前方を撮影できる。
【００３８】
このように、この車両用映像表示システム１では、映像表示ユニット３、映像記録ユニット４のレコーダ４１および制御ユニット５が一体構造を有することにより、省スペース化が図られる。さらに、図１に示すように、補助カメラ２４が、映像表示ユニット３、映像記録ユニット４のレコーダ４１および制御ユニット５と一体構造を有することにより、更なる省スペース化が図られる。
【００３９】
なお、図２の構成では、上記のように、本体装置１０が車両のルームミラー用支持部に対して取付可能な取付部１１１を有している。かかる構成では、本体装置１０のモニタ３１をドライバーの視認し易い位置に簡易に配置できる点で好ましい。しかし、これに限らず、本体装置１０が、車両のルームミラーに嵌合可能な嵌合部（例えば、ルームミラーを保持する爪部）を有することによりルームミラー自体に取り付けられて設置されても良いし、例えば、車両のダッシュボードの上に載せ置かれても良い（図示省略）。
【００４０】
［補助カメラの着脱構造］
図５は、図１に記載した補助カメラの着脱構造を示す説明図である。図６は、図１に記載した補助カメラを示す斜視図である。これらの図において、図５は、補助カメラ２４を本体装置１０から取り外したときの様子を示し、図６は、単体の補助カメラ２４を示している。
【００４１】
この車両用映像表示システム１では、図３〜図６に示すように、補助カメラ２４が、本体装置１０に対して着脱可能な構造を有する。
【００４２】
すなわち、図３および図４の構成では、補助カメラ２４が、本体装置１０のハウジング１１に装着されて一体化されている。このとき、補助カメラ２４が、ハウジング１１に対してネジ止めされて固定されている。そして、補助カメラ２４が、本体装置１０と共に車両のルームミラー用支持部（中心軸Ｏ）に取り付けられている。これにより、例えば、独立した補助カメラをルームミラーの近傍に配置する構成と比較して、省スペース化できる。なお、補助カメラ２４とハウジング１１との固定手段は、上記のネジ止めに限らず、例えば、ハウジング１１が補助カメラ２４を保持する爪部を有することにより補助カメラ２４を保持する構造などにより実現されても良い。
【００４３】
一方、図５および図６の構成では、補助カメラ２４が、本体装置１０のハウジング１１から取り外されて離脱している。ハウジング１１に対する補助カメラ２４の着脱は、固定用のネジの着脱により、容易にできる。また、図５および図６に示すように、単体の補助カメラ２４は、本体装置１０の全体と比較して、非常に小さくコンパクトな形状を有し、場所を選ばず任意の位置に設置できるように構成されている。
【００４４】
このように、補助カメラ２４を着脱可能な構造とすることにより、補助カメラ２４を本体装置１０に対して異なる位置に設置できる。補助カメラ２４の設置位置は、特に限定がないが、例えば、車両のダッシュボードの上などが想定される。例えば、車両のルームミラーの位置がワイパーの払拭領域の範囲外にある場合には、補助カメラ２４を本体装置１０と共に車両のルームミラー用支持部に取り付けたとしても、補助カメラ２４の視界が不良である場合がある。そこで、補助カメラ２４を本体装置１０から取り外してワイパーの払拭領域の範囲内に設置することにより、適正な映像を得られる。
【００４５】
また、上記の構成では、図５に示すように、本体装置１０のハウジング１１が、カメラホルダ１１３を有する。このカメラホルダ１１３は、ハウジング１１に形成された凹部であり、補助カメラ２４を嵌め込み可能な大きさおよび深さを有する。このように、カメラホルダ１１３を凹部とすることにより、補助カメラ２４がカメラホルダ１１３に嵌め込まれて一体化されたときに（図３参照）、本体装置１０全体をコンパクト化できる。
【００４６】
また、上記の構成では、図５に示すように、カメラホルダ１１３が、ハウジング１１の中心位置（図５では、ルームミラー用支持部に対する取付部１１１）から一方向に偏った位置に配置される。このため、補助カメラ２４が本体装置１０に装着されて本体装置１０がルームミラーの位置に設置されたときに、補助カメラ２４が、ルームミラーの中心軸Ｏから外れた位置に配置される。すると、本体装置１０を水平方向に回転させてモニタ３１の表示画面を運転席側に向けたときに、補助カメラ２４と車両のフロントガラスとの接触を防止できる。なお、上記の構成では、運転席を右側に有する車両を適用対象とする場合には、カメラホルダ１１３がハウジング１１の中心位置に対して右側に偏って配置され（図５参照）、逆に、運転席を左側に有する車両を適用対象とする場合には、カメラホルダ１１３がハウジング１１の中心位置に対して左側に偏って配置される（図示省略）。
【００４７】
また、上記の構成では、図５に示すように、補助カメラ２４が、本体装置１０に対してケーブル１１４を介して電気的に接続されている。このケーブル１１４の長さは、補助カメラ２４の設置位置と本体装置１０の設置位置との関係に応じて、適宜選択できることが好ましい。具体的には、例えば、本体装置１０（ハウジング１１）が、ケーブル１１４を巻き取りおよび巻き出し可能なケーブル機構を有する構成（図示省略）が挙げられる。このようなケーブル機構としては、例えば、バネ機構によりケーブルを自動巻取りできる公知のケーブル機構が採用され得る。また、例えば、補助カメラ２４と本体装置１０とが、着脱可能なケーブル１１４を介して接続される構成が挙げられる。これにより、相互に異なる長さを有する複数のケーブル１１４を適宜選択できる。
【００４８】
［映像表示パターンの具体例］
図７〜図１０は、図１に記載した車両用映像表示システムの作用を示す説明図である。これらの図は、３つの主カメラ２１〜２３により取得した映像をモニタ３１に表示するときの映像表示パターンをそれぞれ示している。
【００４９】
この車両用映像表示システム１は、上記のように、車両に搭載されて映像を取得する３台の主カメラ２１〜２３を備える（図１参照）。そして、３つの主カメラ２１〜２３が車両の後方、左側方および右側方の映像をそれぞれ撮像し、映像表示ユニット３が、各主カメラ２１〜２３からの映像信号に基づいて、所定の映像をシングルビジョンあるいはマルチビジョンでモニタ３１の表示画面に表示させる。これにより、映像表示機能が実現されて、ユーザーが主カメラ２１〜２３からの映像をモニタ３１の表示画面上で確認できる。
【００５０】
ここで、車両用映像表示システム１は、（ａ）手動モード、（ｂ）ウィンカー連動モードおよび（ｃ）リモコンボタン優先モードから成る３種類のモードにより、モニタ３１の映像表示パターンを変更できる。この映像表示パターンの設定変更は、ユーザーが操作スイッチ６２を操作してモードを選択することにより行われる。
【００５１】
（ａ）手動モードでは、ユーザーが、リモートコントローラ６１の操作により、モニタ３１に表示させる映像を３つの主カメラ２１〜２３の映像から任意に選択できる。具体的には、リモートコントローラ６１からの操作信号がマルチプレクサ３３に入力され、マルチプレクサ３３が、この操作信号に基づいて３つの主カメラ２１〜２３からの映像信号を択一的に選択してモニタコントローラ３２に転送する。そして、モニタコントローラ３２が、選択された映像信号をモニタ３１に入力して、モニタ３１が、この映像信号を表示画面に出力する。このとき、モニタ３１の表示画面がシングルビジョンに設定され、選択された１つのカメラ２１（２２、２３）からの映像のみがモニタ３１に表示される（図示省略）。
【００５２】
（ｂ）ウィンカー連動モードでは、モニタ３１の表示映像が、ウィンカー操作やバックギア操作などに連動して自動的に切り替わる。具体的には、制御ユニット５が、ウィンカー信号およびシフトポジション信号を車両の各種センサから取得し、これらの信号に基づいて、所定の映像選択信号をマルチプレクサ３３に入力する。すると、マルチプレクサ３３が、この映像選択信号に基づいて３つの主カメラ２１〜２３からの映像信号のうちの１つ或いは複数を選択して、モニタコントローラ３２に転送する。そして、モニタコントローラ３２が、選択された映像信号をモニタ３１に入力して、モニタ３１が、この映像信号を表示画面に出力する。このとき、選択された映像信号が１つの場合には、モニタコントローラ３２が、モニタ３１の表示画面をシングルビジョンに設定して、この映像信号の映像をモニタ３１に表示させる（図１０参照）。一方、選択された映像信号が複数ある場合には、モニタコントローラ３２が、モニタ３１の表示画面をマルチビジョンに設定して、これらの映像信号の映像をモニタ３１に同時に表示させる（図７〜図９参照）。
【００５３】
例えば、車両の前進走行時には、図７に示すように、表示画面が３画面のマルチビジョンに設定されて、３つの主カメラ２１〜２３からの映像がモニタ３１の表示画面に同時に表示される。これにより、モニタ３１の表示画面が車両のバックミラーおよび左右のサイドミラーとして機能し、ユーザーがモニタ３１の表示画面を視認することにより車両の周囲の様子を確認できる。
【００５４】
また、左ウィンカーが操作されると、図８に示すように、表示画面が２画面のマルチビジョンに設定されて、第一主カメラ２１による後方の映像と第二主カメラ２２による左側方の映像とがモニタ３１の表示画面に同時に表示される。このとき、第三主カメラ２３による右側方の映像が省略されることにより、左側方の映像が大きく映し出される。これにより、ユーザーが、ウィンカーの操作方向の映像を容易に視認できる。
【００５５】
また、右ウィンカーが操作されると、図９に示すように、表示画面が２画面のマルチビジョンに設定されて、第一主カメラ２１による後方の映像と第三主カメラ２３による右側方の映像とがモニタ３１の表示画面に同時に表示される。このとき、第二主カメラ２２による左側方の映像が省略されることにより、右側方の映像が大きく映し出される。これにより、ユーザーが、ウィンカーの操作方向の映像を容易に視認できる。
【００５６】
また、後進時にシフト操作が行われてシフトポジションがバックギアとなると、図１０に示すように、モニタ３１の表示画面がシングルビジョンに設定されて、第一主カメラ２１による車両後方の映像のみがモニタ３１の表示画面に表示される。これにより、ユーザーが、車両後方の映像を容易に視認できる。また、このとき、車両の荷台後部に配置されて上方から車両のテール部付近を撮像する第四の主カメラ（図示省略）が併用され、この第四の主カメラからの映像と第一主カメラ２１からの映像とが、マルチビジョンによりモニタ３１の表示画面に表示されても良い。これにより、ユーザーが、車両後方の映像をさらに容易に視認できる。
【００５７】
このように、モニタ３１の映像表示パターンがウィンカー操作やバックギア操作などに連動して自動的に切り替わることにより、ユーザーの操作負担が軽減される。
【００５８】
（ｃ）リモコンボタン優先モードでは、上記した（ａ）手動モードと（ｂ）ウィンカー連動モードが同時に運用され、且つ、（ａ）手動モードが優先的に用いられる。このため、リモートコントローラ６１の操作がない場合には、（ｂ）ウィンカー連動モードにより、モニタ３１の表示映像が自動的に切り替わる。また、リモートコントローラ６１の操作が行われた場合には、上記のように、リモートコントローラ６１からの操作信号に基づいてモニタ３１の表示映像が選択される。これにより、ユーザーのニーズに即した運用が行われる。
【００５９】
［補助カメラの位置合わせ］
この車両用映像表示システム１では、図１の構成において、映像表示ユニット３が、補助カメラ２４からの映像をモニタ３１の表示画面に表示できる。すなわち、モニタ３１は、映像表示機能を実現する３台の主カメラ２１〜２３からの映像信号だけでなく、ドライブレコーダ機能を実現する補助カメラ２４からの映像信号も出力できる。具体的には、制御ユニット５が、マルチプレクサ３３を制御し、マルチプレクサ３３が補助カメラ２４からの映像信号をモニタコントローラ３２に転送し、モニタコントローラ３２がこの映像信号をモニタ３１に出力させる。
【００６０】
補助カメラ２４の位置合わせ時には、後述する図１１（ａ）に示すように、制御ユニット５が、補助カメラ２４からの車両前方の映像をモニタ３１に表示させる。この補助カメラ２４からの映像の表示は、ユーザーがリモートコントローラ６１を操作することにより、行われる。ユーザーは、このモニタ３１の映像を見ながら補助カメラ２４の位置を手作業で調整する。
【００６１】
［モニタ表示映像の切替制御］
図１１は、図１に記載した車両用映像表示システムの作用を示す説明図である。同図は、モニタ表示映像の切替制御の説明図を示している。同図において、（ａ）は、前方カメラ（補助カメラ２４）の位置合わせ時におけるモニタ３１の表示画面を示し、（ｂ）は、車両発進時におけるモニタ３１の表示画面を示している。
【００６２】
この車両用映像表示システム１では、上記のように、車両の前進走行時には、３つの主カメラ２１〜２３からの映像がモニタ３１の表示画面にマルチビジョンで表示され（図７参照）、左ウィンカーの操作時には、第一主カメラ２１による後方の映像と第二主カメラ２２による左側方の映像とがモニタ３１の表示画面にマルチビジョンで表示され（図８参照）、右ウィンカーの操作時には、第一主カメラ２１による後方の映像と第三主カメラ２３による右側方の映像とがモニタ３１の表示画面にマルチビジョンで表示され（図９参照）、また、シフトポジションがバックギアとなると、第一主カメラ２１による車両後方の映像がモニタ３１の表示画面にシングルビジョンで表示される（図１０参照）。このように、車両走行時には、常に、第一主カメラ２１による車両後方の映像がモニタ３１の表示画面に表示される。これにより、モニタ３１がバックミラーとしての役割を果たし、ユーザーの安全確認を容易にしている。
【００６３】
一方で、車両停止時には、車両後方の映像以外の映像がモニタ３１に表示される場合がある。例えば、上記した補助カメラ２４の位置合わせ時には、補助カメラ２４による車両前方の映像がモニタ３１に表示される。また、例えば、車両用映像表示システム１が、車両の荷台内部を撮像する第四のカメラを備える場合には、このカメラの映像がモニタ３１に表示され得る。
【００６４】
しかしながら、上記のように、モニタ３１がバックミラーとしての役割を果たすことから、車両走行時にて、車両後方の映像以外の映像がモニタ３１に表示されることは、車両走行の安全性の観点から好ましくない。
【００６５】
そこで、この車両用映像表示システム１では、車両信号センサからの出力信号が所定の条件を満たすときに、制御ユニット５が、モニタ３１の出力を他の映像信号から車両後方を撮像する第一主カメラ２１の映像信号に切り替える。具体的には、モニタ３１の作動時にて、中央制御部５１が、車両状態を検出する各種の車両信号センサ（図示省略）からの出力信号を取得しており（図１参照）、また、ＲＯＭ５２に格納された映像信号切替プログラム（図示省略）を読み込んで実行することにより、上記の制御を行う。
【００６６】
ここで、上記の「車両信号センサからの出力信号」としては、例えば、車速センサからの車速信号、シフトポジションセンサからのシフトポジション信号などが含まれる。また、上記の「所定の条件」としては、例えば、車速パルスが発生して車両が走行し始めた場合、シフト操作が行われてシフトポジションが前進あるいは後進のいずれかに変更された場合などが挙げられる。
【００６７】
例えば、図１１（ａ）では、補助カメラ２４の位置合わせ時にて、補助カメラ２４による車両前方の映像がモニタ３１に表示されている。このとき、車両が停止して車速がゼロであり、シフトポジションがパーキングの位置にある。次に、シフト操作が行われて車両が走行し始めると、図１１（ｂ）に示すように、制御ユニット５が、モニタ３１の出力を補助カメラ２４の映像信号（図１１（ａ）参照）から前進走行時における映像信号に切り替える。これにより、モニタ３１の表示映像が自動的に切り替わり、ユーザーの負担が軽減される。また、他の映像がモニタ３１に表示されたまま、車両が走行する事態を防止できる。
【００６８】
［異常発生時のアイコン表示制御］
図１２は、図１に記載した車両用映像表示システムの作用を示す説明図である。同図は、異常発生時のアイコン表示制御の説明図を示す説明図である。
【００６９】
この車両用映像表示システム１では、図１２に示すように、制御ユニット５が、所定の異常発生を検知したときに、モニタ３１に異常を報知するアイコンを表示させ得る。具体的には、中央制御部５１が、各種の信号を取得しており（図１参照）、また、ＲＯＭ５２に格納された異常アイコン表示プログラム（図示省略）を読み込んで実行することにより、上記の制御を行う。
【００７０】
上記の「所定の異常」としては、例えば、ＧＰＳ信号の受信エラー、外部メモリ４２の未検出やアクセス異常、主カメラ２１〜２３および補助カメラ２４のロスなどが挙げられる。上記の「異常を報知するアイコン」としては、異常の内容を視覚的に理解できるものが好ましい。
【００７１】
例えば、図１２の構成では、ＧＰＳ信号の受信エラーについて「ＧＰＳ」のアイコンを表示し、外部メモリ４２の未検出についてＳＤカードを示す「ＳＤ」のアイコンを表示し、主カメラ２１〜２３および補助カメラ２４のロスについて各カメラ２１〜２４のアイコンを表示している。また、これらのアイコンが、モニタ３１の表示映像の視認を阻害しないように、モニタ３１の表示画面の端に表示されている。これにより、異常発生時にて、ユーザーが異常を容易に認識できる。
【００７２】
［システム起動時の切替スイッチの作用］
一般に、マルチプレクサ３３および中央制御部５１は、システムの電源オンから起動完了までに１０秒程度の時間を要する。このため、各主カメラ２１〜２３からの映像信号をマルチプレクサ３３を介してモニタコントローラ３２に入力する構成では、システム起動時にて、各主カメラ２１〜２３からの映像信号をモニタ３１に表示できないという課題がある。
【００７３】
そこで、この車両用映像システム１では、図１の切替スイッチ３４が以下のように用いられる。
【００７４】
まず、システム起動時には、初期設定として、切替スイッチ３４がモニタコントローラ３２側に接続される。このため、第一主カメラ２１からの映像信号が、切替スイッチ３４を介してモニタコントローラ３２に入力されて、モニタ３１に出力される。このとき、モニタ３１の表示画面は、図１０のようなシングルビジョンとなる。かかる構成では、第一主カメラ２１（後方カメラ）の映像が電源オンの直後からモニタ３１に表示されるので、ユーザーがシステムの起動完了を待つことなく、車両後方を確認できる。
【００７５】
次に、システムの起動完了までの所定時間が経過すると、切替スイッチ３４がモニタコントローラ３２側からマルチプレクサ３３側に接続を切り替える。すると、第一主カメラ２１からの映像信号が、切替スイッチ３４を介してマルチプレクサ３３に入力される。また、第二主カメラ２２および第三主カメラ２３からの映像信号が、マルチプレクサ３３に直接入力される。そして、中央制御部５１がマルチプレクサ３３を制御することにより、マルチプレクサ３３が各主カメラ２１〜２３からの映像信号を選択してモニタコントローラ３２に入力する。これにより、モニタ表示映像の切替制御が行われて、モニタ３１が上記した図７〜図１０に示すような映像表示を行う。
【００７６】
［効果］
以上説明したように、この車両用映像表示システム１は、車両に搭載されて車両後方の映像を取得する主カメラ２１と、映像信号を出力するモニタ３１と、車両状態を検出する車両信号センサ（図示省略）と、車両信号センサからの出力信号に基づいてモニタ３１の出力を制御する制御ユニット５とを備える（図１参照）。また、制御ユニット５は、車両信号センサからの出力信号が所定の条件を満たすときに、モニタ３１の出力を他の映像信号（主カメラ２１の映像信号を含まない映像信号）から主カメラ２１の映像信号（主カメラ２１の映像信号を含む映像信号）に切り替える（図１１参照）。
【００７７】
かかる構成では、所定条件下にて、モニタ３１の出力が、他の映像信号から車両後方の映像を取得する主カメラ２１の映像信号に切り替えられる（図１１参照）。これにより、モニタ３１の表示映像の切り替えが自動的に行われて、ユーザーの負担が軽減される利点がある。
【００７８】
また、この車両用映像表示システム１では、車両に搭載されて車両前方の映像を取得する補助カメラ２４を備え、且つ、制御ユニット５は、車両信号センサ（図示省略）からの出力信号が所定の条件を満たすときに、モニタ３１の出力を補助カメラ２４の映像信号から主カメラ２１の映像信号に切り替える（図１１参照）。これにより、モニタ３１の表示映像の切り替えが自動的に行われて、ユーザーの負担が軽減される利点がある。
【００７９】
また、この車両用映像表示システム１では、車両信号センサが、車両の車速信号である（図１参照）。これにより、車両の発進を適正に検知できる利点がある。
【００８０】
また、この車両用映像表示システム１では、車両信号センサが、車両のシフトポジション信号である（図１参照）。これにより、車両の発進を適正に検知できる利点がある。
【００８１】
また、この車両用映像表示システム１は、車両に搭載されて確認用の映像を取得する主カメラ２１〜２３と、主カメラ２１〜２３からの映像信号を出力する映像表示ユニット３と、車両に搭載されて記録用の映像を取得する補助カメラ２４と、補助カメラ２４からの映像信号を記録する映像記録ユニット４と、所定の異常を検出したときにモニタ３１に異常を報知するアイコン（図１２参照）を表示させる制御ユニット５とを備える（図１参照）。
【００８２】
かかる構成では、異常発生時にて、モニタ３１に異常を報知するアイコンが表示されるので、ユーザーが異常を容易に認識できる利点がある。
【００８３】
また、この車両用映像表示システム１は、車両に搭載されて確認用の映像を取得する複数の主カメラ２１〜２３と、主カメラ２１〜２３からの映像信号を出力する映像表示ユニット３とを備える（図１参照）。また、映像表示ユニット３が、映像信号を出力するモニタ３１と、モニタ３１の表示を制御するモニタコントローラ３２と、複数の主カメラ２１〜２３からの映像信号を選択してモニタコントローラ３２に出力するマルチプレクサ３３と、所定の主カメラ（図１では、後方カメラである第一主カメラ２１）とモニタコントローラ３２およびマルチプレクサ３３との接続を切り替える切替スイッチ３４とを有する。そして、システム起動時にて、切替スイッチ３４が、所定の主カメラ２１とモニタコントローラ３２とを接続する。また、システム起動完了後に、切替スイッチ３４が、モニタコントローラ３２側からマルチプレクサ３３側に接続を切り替える。
【００８４】
かかる構成では、第一主カメラ２１（後方カメラ）の映像が電源オンの直後からモニタ３１に表示されるので、ユーザーがシステムの起動完了を待つことなく、車両後方を確認できる利点がある。
【符号の説明】
【００８５】
１：車両用映像表示システム、２１：第一主カメラ（後方カメラ）、２２：第二主カメラ（左側方カメラ）、２３：第三主カメラ（右側方カメラ）、２４：補助カメラ（前方カメラ）、３：映像表示ユニット、３１：モニタ、３２：モニタコントローラ、３３：マルチプレクサ、３４：切替スイッチ、４：映像記録ユニット、４１：レコーダ、４２：外部メモリ（リムーバブルメモリ）、５：制御ユニット、５１：中央制御部、５２：ＲＯＭ、５３：ＲＡＭ、６１：リモートコントローラ、６２：操作スイッチ、６３：マイクロフォン、６４：スピーカ、６５：表示ランプ、７１：常時電源、７２：アクセサリ電源、１０：本体装置、１１：ハウジング、１１１：取付部、１１２：カバー、１１３：カメラホルダ、１１４：ケーブル、１２：入力端子
【図１】
2014168170.tif 000003
【図２】
2014168170.tif 000004
【図３】
2014168170.tif 000005
【図４】
2014168170.tif 000006
【図５】
2014168170.tif 000007
【図６】
2014168170.tif 000008
【図７】
2014168170.tif 000009
【図８】
2014168170.tif 000010
【図９】
2014168170.tif 000011
【図１０】
2014168170.tif 000012
【図１１】
2014168170.tif 000013
【図１２】
2014168170.tif 000014